(57)【要約】【課題】本発明は、監査廊天井にレールを設置して吊下げて移動することによりボーリングマシン設置後においても機械等の移動が可能となるダム堰堤内監査廊用走行装置を提供することを目的とするものである。【解決手段】本発明は、ダム堰堤内の監査廊１の天井面８に沿って取り付けられる複数のレール支持部９と、前記レール支持部９間に敷設され、かつその下端面に平歯車１７が形成されるレール１４と、前記レール１４に係留転回されるとともに前記平歯車１７に歯合し、かつ駆動回転される回転歯車２３が設けられる走行装置１８とから構成される。【選択図】図４
2007270521.tif 000002
【特許請求の範囲】
【請求項１】
ダム堰堤内の監査廊の天井面に沿って取り付けられる複数のレール支持部と、
前記レール支持部間に敷設され、かつその下端面に平歯車が形成されるレールと、
前記レールに係留転回されるとともに前記平歯車に歯合し、かつ駆動回転される回転歯車が設けられる走行装置とから構成される
ことを特徴とするダム堰堤内監査廊用走行装置。
【請求項２】
前記レール支持部を監査廊の両側面にて固定する
ことを特徴とする請求項１記載のダム堰堤内監査廊用走行装置。
【請求項３】
前記回転歯車を電動モーター付減速機によって正逆回転自在とする
ことを特徴とする請求項１または２記載のダム堰堤内監査廊用走行装置。
【発明の詳細な説明】
【技術分野】
【０００１】
本発明は、ダム堰堤内監査廊用走行装置に関する。詳しくは急勾配の監査廊の階段を楽に資材を運搬することができるダム堰堤内監査廊用走行装置に係るものである。
【背景技術】
【０００２】
フィルダムの監査廊は狭隘で、しかも左右岸の頂端出入口から奥底の中央部分へ至るまで高低差数十メートルの急な勾配の階段になっており、グラウト工事におけるボーリングマシンの運搬や作業員が各種点検等の際に検査器具等を持っての監査廊の行き来では、作業員の負担が非常に大きく且つ作業性も悪くなる問題があった。
【０００３】
そのために、図７に示すように、床面１０１にレール１０２を平行に設置し、このレール１０２に台車１０３を載せて階上に設置されたウインチ１０４によって台車１０３の引き上げ、あるいは引き下げを行うものである（特許文献１参照）。
また、図８に示すように、床面１０１にレール１０２を平行に設置し、自走する台車１０３を載せ、モーターにて台車１０３での登り下りを行うものである。
【０００４】
【特許文献１】特開平１１−１０７２５２号公報
【発明の開示】
【発明が解決しようとする課題】
【０００５】
しかしながら前記ウインチによって台車の引き上げ、あるいは引き下げを行うものでは、運搬用台車としてボーリングマシンを監査廊の途中にセットした後は、台車の通行の邪魔となり台車による機械の入れ替え等が困難となる。
【０００６】
また、ウインチ一台にて複数の台車を移動するため下部にある台車を移動する場合は、その上部のボーリングマシン等をずらす必要が出てくる。
【０００７】
いっぽう、前記自走台車によって運搬する場合には、監査廊内斜路床面にレールを並行して設置するがピンラックの対角および双方のレベルを一定に保つことが堤体の打設精度などにより困難である。
【０００８】
また、下部にある機械等を緊急に搬出する場合、上部の台車があるため移動が困難となる問題がある。
【０００９】
本発明は、以上に点に鑑みて創案されたものであって、監査廊天井にレールを設置して吊下げて移動することによりボーリングマシン設置後においても機械等の移動が可能となるダム堰堤内監査廊用走行装置を提供することを目的とするものである。
【課題を解決するための手段】
【００１０】
上記の目的を達成するために、本発明に係るダム堰堤内監査廊用走行装置は、ダム堰堤内の監査廊の天井面に沿って取り付けられる複数のレール支持部と、前記レール支持部間に敷設され、かつその下端面に平歯車が形成されるレールと、前記レールに係留転回されるとともに前記平歯車に歯合し、かつ駆動回転される回転歯車が設けられる走行装置とから構成される。
【００１１】
ここで、レールの下端面に形成される平歯車と駆動回転する走行装置に設けた回転歯車との歯合により急勾配での監査廊においても滑ることなく確実に走行することが可能となる。
【００１２】
また、前記レール支持部を監査廊の両側面にて固定することにより、天井面を傷つけることなくレールを取り付けることができ、監査廊の安全性を確保することが可能となる。
【発明の効果】
【００１３】
本発明のダム堰堤内監査廊用走行装置では、天井を移動するので作業が目視でき、監査廊床面のスペースが確保されるためにボーリングマシン設置後おいても機械等の移動が自由に行うことが可能となる。
【００１４】
また、レールは天井面に直接取り付けずにアーチ状の支持部材によって取り付けることにより天井面を傷つけることがないために監査廊の安全を確保することが可能となる。
【発明を実施するための最良の形態】
【００１５】
以下、本発明の実施の形態を図面を参酌しながら説明し、本発明の理解に供する。
図１は、本発明を適用したム堰堤内監査廊用走行装置に係る監査廊の一例を示す概略説明図である。
【００１６】
ここで示すフィルダムの監査廊１は、左右両岸のアバット部２の各々地上からの出入口３を設けるとともに、この出入口３に頂端踊り場４が設けられている。左右側の頂端踊り場４から堤体中央深部へ向けて極めて急な下り勾配の斜面部５になっており、この左右の斜面部５の下端間を平坦な底部６にて連絡されている。
【００１７】
そして前記左右の斜面部５には階段７が設置されており、この階段７によって底部６までの機材の運搬や移動が行われている。
【００１８】
次に図２および図３に示すように、監査廊１の断面形状は天井面８がアーチ曲面に形成される。監査廊１は、堰堤の深部に位置し、その天井面８は堰堤に染み込む水により染み出す場合があり、このような天井面８に直接的にボルトなどを打ち付けることで傷を付けることは非常に危険となる。
【００１９】
そこで天井面８の曲面に対してアーチ状に折り曲げ形成されたレール支持部９を一定間隔ごとに圧接した状態でその両端端を監査廊１の側面１０にボルト１１などによって固着する。
【００２０】
このレール支持部９の略中央には、レール垂下部１２が下方向に突設され、その下面にはＴ字形状のレール係止用溝部１３が切欠形成され、このレール係止用溝部１３にレール１４の上端部１５が嵌入されるものである。
【００２１】
このレール１４の下端には前記上端部１５と平行状に下端部１６が形成され、さらに下端部１６の下面には平歯車１７が溶接などによって一体的に固着される。
【００２２】
また、図４および図５に監査廊１の天井面８に吊下されたレール１４上を走行する走行装置の一例を示す。
ここで示す走行装置１８は、レール１４幅より大き目の間隔を有する上下開口状とした装置本体１９の上端に一対の回転ロール２０．２０が前後位置に取り付けられる。
【００２３】
一対の回転ローラ２０は、軸部２１の先端にベアリング２２を介して回転自在な状態で装着される。そしてレール１４を両側より挟むような状態で下端部１６上面に乗せられることにより前記装置本体１９はレール１４を走行可能な状態となる。
【００２４】
そこで前記装置本体１９内の前後位置には前記レール１４下端面に形成される平歯車１７に歯合する回転歯車２３、２３が軸支される。この回転歯車２３、２３は装置本体１９の前後側面に互い違いに配置される電動モーター付減速機２４、２４の駆動軸２５によって正，逆駆動回転自在な機構とされる。
【００２５】
また、前記装置本体１９の側面には電動モーター付減速機２４のＯＮ・ＯＦＦ切り替え、正，逆駆動回転などを行う制御盤２６が設置される。更に、この制御盤２６には警報付回転灯２７が取り付けられる。
【００２６】
この制御盤２６には遠隔より操作できるリモコンスイッチ２７が接続され、作業者が監査廊１の床面より自在に操作できる機構とする。
【００２７】
また、前記装置本体１９の下端開口には補強杆２８が渡設され、この補強杆２８にチェーンブロック２９が吊下げることができる機構とするものである。
【００２８】
以上の構成よりなる本発明に係るダム堰堤内監査廊用走行装置は、図３に示すように、走行装置１８は一対の回転ローラ２０が前記レール１４を両側より挟むような状態でレール１４の下端部１６上面に乗せられることにより前記走行装置１８はレール１４に吊下げられた状態で前後方向への移動が可能となる。
【００２９】
そこで走行装置１８の駆動はレール１４下端面に形成される平歯車１７に電動モーター付減速機２４、２４の駆動軸２５によって正，逆駆動回転自在な機構とされる回転歯車２３、２３を歯合させることにより急斜面の監査廊をボーリング装置等の重量物を吊下げた状態で確実に走行することが可能となる。
【００３０】
このようなダム堰堤内監査廊用走行装置にあっては図６に示すように、ボーリング装置Ａは監査廊１の斜面部５に設置される場合には、監査廊１の頂端踊り場４（図示せず。）から走行装置１８に取り付けられたチェーンブロック２９によって斜面部５に接触しない状態まで吊上げる。
【００３１】
そしてリモコンスイッチ２７によって電動モーター付減速機２４を駆動回転させて走行装置１８を目的位置まで走行させ、斜面部５に設置されたボーリング作業架台Ｂ上に載置する。
【００３２】
また、ボーリング装置Ａを設置した後に工具などを運搬する場合にはチェーンブロック２９によってボーリング装置Ａに接触しない程度まで吊上げる、あるいはボーリング装置Ａを迂回させながら走行装置１８を走行させることにより容易に目的位置まで運搬することが可能となる。
【００３３】
また、検査のために作業者が監査廊１内に入る場合には、検査器具（図示せず。）をチェーンブロック２９によって吊下げた状態で走行装置１８と共に監査廊１内を移動することによって作業者への負担が著しく軽減される。
【図面の簡単な説明】
【００３４】
【図１】本発明を適用したダム堰堤内監査廊用走行装置に係る監査廊の一例を示す概略説明図である。
【図２】本発明を適用したダム堰堤内監査廊用走行装置に係るレール支持部の一例を示す説明図である。
【図３】図２における要部拡大説明図である。
【図４】本発明を適用したダム堰堤内監査廊用走行装置の一例を示す正面断面説明図である。
【図５】図４における側面断面説明図である。
【図６】本発明を適用したダム堰堤内監査廊用走行装置の使用状態の一例を示す説明図である。
【図７】従来のダム堰堤内監査廊用走行装置の一例を示す説明図である。
【図８】従来のダム堰堤内監査廊用走行装置の他の例を示す説明図である。
【符号の説明】
【００３５】
１      監査廊
２      アバット部
３      出入口
４      頂端踊り場
５      斜面部
６      底部
７      階段
８      天井面
９      レール支持部
１０    側面
１１    ボルト
１２    レール垂下部
１３    レール係止用溝部
１４    レール
１５    上端部
１６    下端部
１７    平歯車
１８    走行装置
１９    装置本体
２０    回転ロール
２１    軸部
２２    ベアリング
２３    回転歯車
２４    電動モーター付減速機
２５    駆動軸
２６    制御盤
２７    リモコンスイッチ
２８    補強杆
２９    チェーンブロック
【図１】
2007270521.tif 000003
【図２】
2007270521.tif 000004
【図３】
2007270521.tif 000005
【図４】
2007270521.tif 000006
【図５】
2007270521.tif 000007
【図６】
2007270521.tif 000008
【図７】
2007270521.tif 000009
【図８】
2007270521.tif 000010